(57)【要約】      （修正有）【課題】魚釣りに際して潮流や川の流れまたは風波によって、自然に釣りの仕掛けが魚釣りのポイントを外れることが釣果に著しい影響を及ぼし、釣果をあげるためには出来る限り長時間釣りのポイントに釣りの仕掛けを馴染ませる。【解決手段】釣りの仕掛けに繋がるウキ１の縦方向を扁平な形状とし、ウキ１の左側の支点５または右側の支点を選択してテグス３を固定し、引っ張る操作によりウキ１を釣りポイントに誘引できることとなり、簡単にウキ１に繋がる釣りの仕掛けをできる限り長時間魚釣りのポイントに馴染ませることが出来ることとなる。【選択図】図２
0003138610.tif 000002
【実用新案登録請求の範囲】
【請求項１】
魚釣りに用いるウキの形状を、水面に浮かんだ状態において縦方向を扁平としたものとし、ウキに繋がるテグスを引っ張る操作により、水面に浮かぶウキの位置を適宜に誘引し修正できる機能を有する魚釣りに用いるウキ。
【考案の詳細な説明】
【技術分野】
【０００１】  本考案は、魚釣りの際により良い釣果を得るため、方向性を備えた構造とした釣具の“ウキ”に関するものである。
【背景技術】
【０００２】  魚釣りに際して、適当な水域のここぞと思うポイントに撒餌をして付近で回遊する魚を誘き寄せ、釣り竿から“テグス”で連なる“ウキ”と“オモリ”や釣り餌を付けた“釣針”で構成する釣りの仕掛けを水中に投入して行う方法が一般的である。【０００３】  なかでも、市販の“ウキ”をはじめ従来型のものは、おおむね丸型のものと棒状の形態を成し、釣りの仕掛けのなかでも“ウキ”は、水中に沈む“オモリ”の質量によって浮き沈みのバランスを調整して用い、釣り餌を付けた“釣針”に魚が掛かると、水面に漂っていた“ウキ”の動きに微妙な変化が起こり、これを視認してタイミング良く引き上げることで魚を釣り上げることができる。【０００４】  しかし、魚釣りの際の釣りの仕掛けは風波および潮流や川の流れで移動し易いが、釣り餌を配した“釣針”に“テグス”で連なる“ウキ”が自然に移動したことで、釣りの仕掛けが撒餌をした適切な釣りポイントに入っているか、または釣りポイントから外れているかを概ね視認することができる。【０００５】  すなはち、釣具として用いる“ウキ”は水面に漂うために風波を受け易く、これにテグスで連なる鉛の“オモリ”や釣り餌を付けた“釣針”で構成する仕掛けも水流によって流されるなど、撒餌をした釣りポイントから外れることがしばしば発生する。
【考案の開示】
【考案が解決しようとする課題】
【０００６】  魚釣りに際して、撒餌を施した釣りポイント目がけて釣りの仕掛けを投げ込むが、着水した“ウキ”は風波を受けて風下方向に自然に移動したり、“テグス”で連なる魚釣りの仕掛け全体も“ウキ”に連れられて移動する。加えて、潮流や川の流れる方向に自然に押し流されて移動するなど、肝心の釣りの仕掛けが釣りポイントから外れる不具合がある。【０００７】  なかでも、一般的に餌を介して行う魚釣りにおいて釣果をあげるには、釣りの仕掛けを常に釣りポイントから外さないように工夫しながら魚釣りをすることが最も大切である。【０００８】  この場合、従来は釣りの仕掛けを的確な釣りポイントの位置に修正するためには、その度に仕掛けを引き上げて投げ込みをやり直す必要に迫られるのが通例である。【０００９】  しかし、釣りの仕掛けの投げ入みをくり返すたびに“釣針”に配した釣り餌は外れ易くなり劣化するほか、仕掛けの着水音で撒餌をした釣りポイントに群がっていた魚が四散するなど、コンスタントに釣果が望めない問題がある。
【課題を解決するための手段】
【００１０】  本考案は、前述の課題を解決するため、従来多く市販されている“ウキ”の形状を変化させ、やや扁平な形状とし“ウキ”自体が方向舵となる構造とする。【００１１】  本考案の“ウキ”は、釣り竿から“テグス”で連なる“ウキ”の右側の支点を引っ張れば“ウキ”の右側に当たる水の流力で左の方向に移動し、左側の支点を引っ張れば“ウキ”の左側に当たる水の流力で右の方向に移動するので、あらかじめ当時の風向きや釣り場の潮流や川水の流れる方向を勘案して釣りの仕掛けに“ウキ”をセットすることにする。
【考案の効果】
【００１２】  本考案の“ウキ”を用いて魚釣りを行う場合、前述の如く潮流や川の流れおよび風向きを勘案してあらかじめセットしておけば、前述の通り“ウキ”の右肩の支点を引っ張れば左に寄り、左肩の支点を引っ張れば右に寄ることから、自然に流される釣りの仕掛けは“ウキ”を操縦することにより、常に適正な釣りポイントに誘引することを可能にする。【００１３】  すなはち、本考案の“ウキ”を用いて魚釣りを行う場合、“ウキ”に“テグス”で連なり水中で浮遊する一連の釣りの仕掛けも移動するので、釣りの仕掛けが釣りポイントを外れたとき、従来の如くいちいち釣りの仕掛けを引き上げて投げ込みをし直さなくても、釣り竿と“テグス”の操作で“ウキ”を操縦し、自然に流された仕掛けの位置を簡単に修正できることになる。【００１４】  従って、魚釣りの仕掛けが釣りポイントから外れたときに、そのたび“釣り竿”を振り上げて魚釣りの仕掛けを水中から引き上げ、投げ込みをし直していた作業から開放され魚釣りを殊更に楽しめることになる。【００１５】  特に、“釣り竿”を振り回したときの“ビュ−”と鳴る風切り音や“釣り竿”の影に脅えて四散する如き繊細な神経を有する魚種の魚釣りに的確な効果を生ずる。【００１６】  いわゆる、魚釣りにおいて本考案の“ウキ”を用いた場合は、釣りポイント目がけて釣りの仕掛けを投入する面倒な作業が減少し、いわば省エネ的な魚釣りに専念できることになり、あらかじめ撒餌をした水域の釣りポイントに、魚釣りの仕掛けを長時間馴染ませることができるので、当然の如く釣果が多くなる効果がある。
【考案の実施するための最良の形態】
【００１７】  魚釣りの仕掛けに縦扁平型の“ウキ”を用いることにより、水面に浮かんだ状態で釣りの仕掛けに魚が掛かったときに“ウキ”の動きがより繊細に表現されることになる。
【００１８】  本考案の“ウキ”は縦扁平状であり下方になる側に錘を添設してあるので、“ウキ”は方向舵の如く縦に水面に浮かぶことになる。
【００１９】  従って本考案の“ウキ”は、方向舵のように水面に浮かんだ状態になり、右側部分の支点に釣り竿からの“テグス”を固定し、釣り竿を振るか“リ−ル”を操作して“テグス”を引っ張ったときは“ウキ”が左斜めに向きを変えて右面に水の流力を受け左方向に移動することになる。
【００２０】  同じく、“ウキ”の左側部分の支点に釣り竿からの“テグス”を固定して引っ張ったときは、“ウキ”が右斜めに向きを変えて左面に水の流力を受けることになり、“ウキ”が右方向に移動することになる。
【００２１】  いずれにしても、釣り場の状況を勘案して釣りの仕掛けに“ウキ”をセットした状態で、“ウキ”に連なる釣りの仕掛けは水中で浮遊しており、“ウキ”の移動に従って振り子のように錘の重力で自然に“ウキ”の下方に移動することから、“ウキ”を移動させることで釣りの仕掛けが撒餌をした釣りポイントへ誘引されることになる。
【実施例】
【００２２】  以下、この考案の実施の形態を図面に基ずいて説明する。まず図１の如くウキ１の形状は縦方向扁平状であり、下方になる部分に錘２を添設し、着水した際に錘２の重力で↑方向に直立して浮かぶことになる。ただし、ウキ１の形状は様々に変化させて製作することができる。【００２３】  この場合、全図において、ウキ１には釣り竿から釣りの仕掛けを結ぶテグス３を通す糸道を左右に４と６を設ける。【００２４】  図２において、ウキ１に向かって左側の糸道４の支点５は釣り場の水流や風向きによって、釣りの仕掛けが自然に左方へ移動し易いときは釣り竿からのテグス３を糸道４に通して、ハリス７の深度を勘案して支点５で固定する。この場合、テグス３を引っ張ればウキ
0003138610.tif 000003
【００２５】  図３において、釣り場の状況が釣りの仕掛けが右方へ移動し易いときは、ウキ１に向かって右側の糸道６の支点７に釣り竿からのテグス３を糸道６に通して、ハリス７の深度を勘
0003138610.tif 000004
【００２６】  すなはち図２および図３による、糸道４にテグス３を通して支点５に固定するか、糸道６にテグス３を通して支点７に固定するかを、前述の通り釣り場の状況を勘案して選択する。【００２７】  従って、この考案のウキ１に設けた糸道と支点は図２または図３の如く、魚釣りに際して４と５を選ぶか、６と７を選んでテグス３を通して固定することによって、人為的にウ
0003138610.tif 000005
【００２８】  なお、図４において釣りの仕掛け８は、釣り竿１２のリ−ル１３からのテグス３に固定したウキ１から先にハリス９および錘１０と釣針１１を配して構成する。
【産業上の利用可能性】
【００２９】  本考案は魚釣りにおいて釣りの仕掛けが、潮流や川の流れおよび風波により、自然的に撤餌を施した釣りポイントから外れる釣り人共通の悩みが解消でき、普及率が高いウキを提供できるので釣果が向上するなど経済効果が大きくなる。【００３０】  本考案のウキは大量生産が可能であり、生産原価の高騰を押さえることが可能であるので産業上の利用の可能性が高いものである。
【図面の簡単な説明】
【００３１】
【図１】ウキ１の形状の例を示す投影図。
【図２】
0003138610.tif 000006
【図３】
0003138610.tif 000007
【図４】釣りの仕掛けを説明する見取図。
【符号の説明】
【００３２】  １．  ウキ。
２．  ウキ１に添設した錘。
３．  釣り竿に繋がるテグス。
４．  ウキ１に向かって左側の糸道。
５．  糸道４にテグス３を固定して支点となる部分。
６．  ウキ１に向かって右側の糸道。
７．  糸道６にテグス３を固定して支点となる部分。
８．  釣りの仕掛け。
９．  ハリス。
１０．  錘。
１１．  釣り針。
１２．  釣り竿。
１３．  リ−ル。
１４．  水面。
↑．  ウキ１が水面に直立して浮かぶ方向を示す。
△．▽．ウキ１に働く水の流力。
←．  テグス３を引っ張る方向。
0003138610.tif 000008
【図１】
0003138610.tif 000009
【図２】
0003138610.tif 000010
【図３】
0003138610.tif 000011
【図４】
0003138610.tif 000012
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
水面に浮かんだ状態において縦方向の左右二面を扁平な形状とし、左右に糸道を有する魚釣りに用いるウキ。
【手続補正２】
【補正対象書類名】明細書
【補正対象項目名】００３１
【補正方法】変更
【補正の内容】
【００３１】
【図１】ウキの形状の例を示す投影図。
【図２】テグス３の操作でウキ１が右方↓に移動する原理を説明する見取り図。
【図３】テグス３の操作でウキ１が左方↑に移動する原理を説明する見取り図。
【図４】釣りの仕掛けを説明する見取り図。